(57)【要約】【課題】ヒートポンプにより衣類の乾燥をおこなう洗濯乾燥機に筐体外方への送風機能を具備し、洗濯乾燥機本体における操作パネルを操作することで容易に、且つ、使い勝手よく送風制御するとともに、洗濯〜乾燥運転を阻害せず水分の飛散も生じないようにした洗濯乾燥機を提供する。【解決手段】筐体内の水槽の内部に回転可能に支承したドラムによって衣類を洗濯〜乾燥し、乾燥動作時には、前記筐体内に配設したヒートポンプおよび送風機の運転によって熱交換器からの加熱空気を前記ドラム内に導入して洗濯物を乾燥させる一方、前記ヒートポンプを駆動させて筐体外方に送風する送風機能を具備するとともに、洗濯や乾燥運転条件を表示し選択設定する操作パネル３を備えた洗濯乾燥機において、洗濯〜乾燥運転中には前記送風機能の実行を受け付けないようにしたことを特徴とする。【選択図】図６
2007301283.tif 000002
【特許請求の範囲】
【請求項１】
筐体内の水槽の内部に回転可能に支承したドラムによって衣類を洗濯〜乾燥し、乾燥動作時には、前記筐体内に配設したヒートポンプおよび送風機の運転によって熱交換器からの加熱空気を前記ドラム内に導入して洗濯物を乾燥させる一方、前記ヒートポンプを駆動させて筐体外方に送風する送風機能を具備するとともに、洗濯や乾燥運転条件を表示し選択設定する操作パネルを備えた洗濯乾燥機において、洗濯〜乾燥運転中には前記送風機能の実行を受け付けないようにしたことを特徴とする洗濯乾燥機。
【請求項２】
送風機能を受け付けない場合は、その旨を操作パネル部に表示することを特徴とする請求項１記載の洗濯乾燥機。
【請求項３】
洗濯〜乾燥運転の少なくともいずれかの運転の予約待機中である場合は、送風機能を受け付けるようにしたことを特徴とする請求項１記載の洗濯乾燥機。
【発明の詳細な説明】
【技術分野】
【０００１】
本発明は、ヒートポンプによる衣類乾燥機能を有するとともに筐体外方への送風機能を具備した洗濯乾燥機に関する。
【背景技術】
【０００２】
近年、洗濯乾燥機は、図13に概略構成を示すように、回転槽を横軸型のドラム（59）とし、開口を筐体（52）の前面側に設けて洗濯物の投入口（54）とした、いわゆるドラム式洗濯乾燥機（51）が商品化され普及しつつある。この種ドラム式洗濯乾燥機における洗濯用の水槽（56）は横向き円筒状をなし、外郭を形成する筐体（52）の内部に、水平に対して前方が高くなるように支持装置（61）を介して弾性的に支持されており、この水槽（56）の内部には、水槽（56）との間に間隙を形成してドラム（59）を回転可能に設け、ドラム（59）は水槽（56）の後面に取り付けられたＤＣブラシレスモーター（60）により直接回転駆動される。
【０００３】
前記筐体（52）の前面側に設けた洗濯物を出し入れするための投入口（54）には、投入口（54）を開閉するドア（55）が配設されており、洗濯、脱水時にはドア（55）をロックして水槽（56）内の洗濯水が隙間などから外部にあふれ出ないよう密閉された構造とし、洗濯物の乾燥に際しては、別途、前記水槽（56）の上方に配置した乾燥ヒーター（63）およびファン（67）からなる乾燥ユニット（62）で生成される加熱空気を前記ドラム（59）内に導入して衣類などを乾燥させたり、また、最近では、ヒートポンプによる凝縮熱を利用した衣類乾燥装置を設けた技術が発明されている。
【０００４】
さらに、図14に示すように、横軸型の回転槽（79）による衣類乾燥装置（71）に関し、衣類乾燥に加えてヒートポンプ（冷凍サイクル）（82）により空調をおこなうものが提案されている（例えば、特許文献１参照）。これはヒートポンプ（82）における冷媒を凝縮する加熱用フィン（83）から排出された加熱空気を回転ドラム状の乾燥室（79）に導入し衣類を乾燥させる動作と、この衣類乾燥のための空気循環路（88）（89）を遮断するとともに、ファン（87）によって装置外部から外気を導入し、冷却除湿フィン（86）で冷却して装置外へ排出する動作に切り替えて冷房したり、あるいは暖房するなど空気調和をおこなうものである。
【特許文献１】特許第３３３０７８９号公報
【発明の開示】
【発明が解決しようとする課題】
【０００５】
しかしながら、前記特許文献１に示されている構成は、衣類乾燥装置であって洗濯乾燥機としての構成とは相違することから、洗いやすすぎ、あるいは脱水から乾燥に至る制御構成を具備しておらず、当然それらの制御のための操作をおこなう操作パネルに洗濯や乾燥運転条件を表示するとともに運転条件を選択設定することもなく、したがって、これら洗濯乾燥運転と装置外への空気排出運転との関連についても考慮されているものではなかった。そしてこのような従来構成の衣類乾燥装置（71）では、衣類から蒸発した水分がヒートポンプ（82）の冷却除湿フィン（86）に水滴となって付着するため、急に送風するとその水滴が機外に飛散する恐れがあった。
【０００６】
本発明は上記の点を考慮してなされたものであり、ヒートポンプにより衣類の乾燥をおこなう洗濯乾燥機に筐体外方への送風機能を具備し、洗濯乾燥機本体における操作パネルを操作することで容易に、且つ、使い勝手よく送風制御するとともに、洗濯〜乾燥運転を阻害せず、水分の飛散も生じないようにした洗濯乾燥機を提供することを目的とする。
【課題を解決するための手段】
【０００７】
上記課題を解決するために、本発明における洗濯乾燥機は、筐体内の水槽の内部に回転可能に支承したドラムによって衣類を洗濯〜乾燥し、乾燥動作時には、前記筐体内に配設したヒートポンプおよび送風機の運転によって熱交換器からの加熱空気を前記ドラム内に導入して洗濯物を乾燥させる一方、前記ヒートポンプを駆動させて筐体外方に送風する送風機能を具備するとともに、洗濯や乾燥運転条件を表示し選択設定する操作パネルを備えた洗濯乾燥機において、洗濯〜乾燥運転中には前記送風機能の実行を受け付けないようにしたことを特徴とするものである。
【発明の効果】
【０００８】
本発明の洗濯乾燥機によれば、ヒートポンプによる温風および除湿機能で乾燥動作をおこなうことができるとともに、前記ヒートポンプを利用した冷風などを筐体の外方向に吹き出して周辺空間をより快適な雰囲気にすることができる。そして、その制御を洗濯乾燥機本体の操作パネルでおこなうことができ、また、洗濯〜乾燥運転中には送風機能の実行を受け付けないようにしたことによって洗濯〜乾燥運転を阻害することなく、簡単で使い勝手よくおこなうことができる。
【発明を実施するための最良の形態】
【０００９】
以下図面に基づき本発明の１実施形態について説明する。図１に外観斜視図、図２に縦断面図を示すドラム式洗濯乾燥機（１）は、外郭を形成する筐体（２）の上部前面側に、洗濯コースなどを選択設定するための操作パネル（３）を配置するとともに、前面の中央部分には洗濯物を出し入れするための円形の投入口（４）を開口させ、前記投入口（４）を開閉自在に閉塞する透明窓を形成したドア（５）を配置している。
【００１０】
筐体（２）の内部には水槽（６）を配置している。水槽（６）は、背面を閉塞した横向き円筒状をなし、その前面部の開口周縁には環状の水槽カバー（６ａ）を取り付けるとともに、その底部の左右に設けた一対の図示しない支持装置によって筐体（２）内に弾性的に支持されており、背面側の下方には排水弁（７）を介して水槽（６）内の洗濯水を機外に導出する排水ホース（８）を接続している。
【００１１】
水槽（６）の内部には、横軸周りに回転可能とした有底円筒状のドラム（９）を配設している。ドラム（９）は、水槽（６）に沿い前方に向かって若干上方への傾斜状態に支承されており、胴部周壁に多数の脱水孔（９ａ）と、その内周面には洗濯物掻き上げ用のバッフル（９ｂ）を複数有している。また前面開口側には環状のドラムカバー（９ｃ）を取り付けて、前記水槽カバー（６ａ）とともに投入口（４）に対向して配置させており、洗い行程および脱水行程における共用槽として機能するものである。
【００１２】
前記ドラム（９）の閉塞された背面は、水槽（６）の前記閉塞された背面部に軸支され、洗いおよび脱水行程に応じた回転速度に制御されるモーター（10）により回転する。このモーター（10）は、例えば、アウターロータ形であって、内側のステータ（10ｃ）を水槽（６）側に固定し、外側のロータ（10ａ）に直結した回転軸（10ｂ）を水槽（６）の後壁を水密に貫通させるとともにドラム（９）背面部の中心に連結させている。
【００１３】
前記投入口（４）の開口周縁と水槽（６）の前面開口部における水槽カバー（６ａ）との間隙には、耐薬品性に優れた軟質樹脂材からなるベローズ（11）を取り付け、水が水槽（６）から機外に漏れ出ないようにするとともに、その一部を延出して閉鎖状態にある前記ドア（５）裏面側に当接させ、投入口（４）から機外への水漏れを防止し、さらに蛇腹部を設けて水槽（６）やドラム（９）の回転振動がドア（５）側に伝達することを防いでいる。
【００１４】
上記構成のドラム式洗濯乾燥機（１）は、洗い、すすぎ、脱水の各機能行程を選択設定して自動的に実行するものであり、前記投入口（４）より洗濯物をドラム（９）内に投入してドア（５）を閉じた後、洗いおよびすすぎ行程では、洗濯水を水槽（６）内に供給した状態でドラム（９）を低速回転させ、洗濯物をバッフル（９ｂ）で掻き上げては落下させる撹拌運動により洗濯を実行し、脱水行程では排水弁（７）を開いてすすぎ行程後の洗濯水を排水ホース（８）から機外に排出し、その後ドラム（９）を一方向に高速回転させて胴部周壁に設けた多数の脱水孔（９ａ）から遠心脱水する。
【００１５】
そして、前記筐体（２）下部の幅方向のほぼ中央部には、前後方向に亙ってヒートポンプ（12）のユニットを設置し、洗濯行程が終了した後の乾燥動作の際に、ドラム（９）を様々に回転させつつこれを駆動し、ヒートポンプにより凝縮器（13）で生成される熱を洗濯物の乾燥に使用している。
【００１６】
すなわち、前記ヒートポンプ（12）は、筐体（２）の底面一側部に冷媒を圧縮し吐出する圧縮機（14）を配置するとともに、圧縮機（14）から吐出された高温高圧の冷媒ガスを放熱して凝縮する前記凝縮器（13）、高圧冷媒を減圧する膨張弁や毛細管などの減圧装置（15）、および減圧された冷媒を蒸発させて吸熱する蒸発器（16）を環状に配管接続して構成されており、洗濯乾燥運転の乾燥行程時にヒートポンプ（12）を駆動したときには、同時に前記凝縮器（13）の背面側に配置した乾燥用送風機（17）を回転させるように制御する。
【００１７】
前記ヒートポンプ（12）や送風機（17）は、筐体（２）に対してドラム（９）や水槽（６）が前方上部に向かって傾斜状態に配置されていることから、水槽（６）と本体底面との間に形成される空間を利用して設置しており、ヒートポンプ専用の大きなスペースを必要とすることなくコンパクトに配設することができる。
【００１８】
乾燥用送風機（17）は、高温となる凝縮器（13）により、約７０℃まで加熱された乾燥空気を、前記乾燥用送風機（17）の下流側とドラム（９）の背面側部分とを連通しているドラム入口ダクト（18）を介して前記モーター（10）の周辺部分からドラム（９）内に吹き込み、洗濯物と接触させることでこれを乾燥させる。さらに洗濯物との接触で加湿状態になっている空気をドラム（９）内から投入口（４）および周側の脱水孔（９ａ）を介して外方に流出させ、ドラム出口ダクト（19）から低温の蒸発器（16）部を通過させることで空気中の水分を除去し、次いで高温の凝縮器（13）に戻すことで再び加熱された乾燥空気として循環させるものである。
【００１９】
しかして、洗濯機本体（１）の前面側の下部に配置した前記蒸発器（16）に対向した位置には、吹き出し部として横幅寸法を広く形成したルーバー（21）および送風ファン（22）を設けている。前記送風ファン（22）は、後方に位置する蒸発器（16）からの冷気を斜め上方の送風口（23）部分に送流するものであり、前記ルーバー（21）の幅寸法に合わせた所定長さの回転軸周囲に多数の羽根を設けた横流ファンで構成されている。
【００２０】
前記送風口（23）は、前記蒸発器（16）に連通するドラム出口ダクト（19）の途中から前方に分岐させた位置に配設させたものであり、外面開口部に設けたルーバー（21）を上下に回動させることで、前記送風口（23）を開閉するとともに外方向への空気の吹き出しを可能にしている。
【００２１】
前記ドラム出口ダクト（19）の分岐部分には切替ダンパー（24）を配設しており、洗濯運転後の乾燥行程時には、この切替ダンパー（24）を実線の位置にして前記ルーバー（21）側を閉塞するとともに、ドラム出口ダクト（19）から蒸発器（16）側の送風路を開放してドラム（９）内を循環する温風の流れを阻害しないようにしている。
【００２２】
また、送風機能の一例である冷風吹き出し機能として前記ルーバー（21）と送風ファン（22）を駆動した際には、送風口（23）部分の拡大図である図３の実線のごとく、切替ダンパー（24）を回動させ、前記ドラム出口ダクト（19）側を閉塞して、駆動させたヒートポンプ（12）により冷却されている蒸発器（16）からの低温空気を矢印で示すように、送風口（23）から筐体の外方、すなわち前方の外気中に吹き出すようしている。
【００２３】
前記ルーバー（21）は、幅広の角筒状に形成するとともに筒内の幅方向に亙って多数のフィン（27）を所定間隔で列状に並べて幅方向に回動可能に連結し、筒体の両端部に設けた枢軸（21ａ）を送風口（23）の側壁に係合してルーバー（21）本体を上下方向に回動可能に支承したものであり、前記送風口（23）の一方の外側に固着され、一端側の枢軸に係合させた図示しないステッピングモーターへの通電により、枢軸（21ａ）を介して筒体を所定角度に上下に回動させることで前記送風口（23）を開閉し、また吹き出し方向を変更するものである。
【００２４】
そして、送風口（23）を開放した際には、前記フィン（27）をこれも図示しない駆動源によって幅方向に揺動させながら、あるいは手動で向きを変更して、蒸発器（16）からの冷気を筐体外部の所望角度の斜め上方部に向けて吹き出すようにする。
【００２５】
なお、切替ダンパー（24）がドラム出口ダクト（19）を閉塞した状態で送風ファン（22）を駆動すると、蒸発器（16）から送風口（23）への風路は負圧になるが、蒸発器（16）と凝縮器（13）間の風路壁には吸気口（29）を穿設しており、送風時には、この吸気口（29）の存在によって、吸引された外気がスムーズに蒸発器（16）を通過して除湿冷却され、冷気として送風口（23）から吹き出すことができる。
【００２６】
このとき、前記ルーバー（21）の一部と送風口（23）側には、図示しない引張りコイルばねをその両端を係止して配設しており、ルーバー（21）は常時送風口（23）を閉塞する方向に付勢されている。そして、ルーバー（21）の回動動作は、送風口（23）を開放させる方向については前記ステッピングモーターによりおこない、閉塞方向へは前記コイルばねの収縮力で回動させるようにしている。この構成により、ルーバー（23）が送風口（23）を閉塞するときには、コイルばねの比較的弱い弾性力で戻ることになり過大な力が掛からないため、使用者が送風口（23）に指などを挟んで怪我をするようなことを防止できる。
【００２７】
なお、図３中（26）は、ドラム（９）から蒸発器（16）に至る送風路に設けた糸くずや空気中の異物を除去するリントフィルターであり、ドラム（９）内の衣類から発生する糸屑などの異物が蒸発器（16）および凝縮器（13）から乾燥用送風機（17）に侵入して付着することを防ぐとともに、摘み部（26ａ）を引き出すことにより清掃が可能となっているものである。
【００２８】
図４は、前記操作パネル（３）の詳細配置構成であって、表面に使用者が洗濯乾燥機（１）の運転のために操作する各種の操作キーや表示部を設けている。具体的には、前記操作キーとして、洗い、すすぎ、脱水をおこなう洗濯運転やこれら洗濯運転と乾燥動作を連続しておこなう洗濯乾燥運転、あるいは乾燥動作のみをおこなう乾燥運転などを、押圧により選択し設定するための洗濯運転モードキー（32）、洗いやすすぎ、脱水、乾燥の個々の行程を押圧により選択してそれぞれの時間や回数を指示設定するための行程選択キー（33）、また、タイマー予約時刻を選択するための予約キー（34）や洗濯乾燥機（１）の電源をオンオフする電源キー（35）、さらには、洗濯運転をスタートしたり一時停止するための円形に大きく設けたスタート・一時停止キー（36）などが配置され、これらのキーは押釦スイッチにより、押圧した回数だけ操作信号が出力されるように構成されている。
【００２９】
さらに、前記スタート・一時停止キー（36）の外周には、環状の操作ダイヤル（37）を所定角度ずつ回転して節動感が得られるように回転可能に配設している。この操作ダイヤル（37）は、回転式可変抵抗器やロータリーエンコーダなどからなる回転スイッチの回転軸に取り付けられており、操作ダイヤル（37）を回転操作することで回転方向や角度に応じた操作信号が出力されるように構成されている。
【００３０】
前記洗濯運転モードキー（32）は、選択されているキー表面の表示部（32ａ）をその裏面に設けた赤色の発光ダイオード（ＬＥＤ）により点灯して運転モードを明示するようにしている。また、液晶表示パネル（38）には、前記洗濯運転モードで選択されている洗濯や乾燥のコース内容を表示するコース表示部（39）を設けており、操作ダイヤル（37）を回転させることによって、このコース表示部（39）の表示事項に対応して設けた液晶表示部（39ａ）を点灯表示することで選択するようにしているほか、隣接する表示部（40）に、現在時刻や予約時間、残り運転時間、あるいは洗い行程や脱水行程の設定時間やすすぎの回数を数値で選定表示するように構成している。
【００３１】
操作パネル（３）の裏面には、操作回路を備える制御ユニット（31）が配設されており、操作パネル（３）の各種操作キーに基づく押圧操作信号と、操作ダイヤル（37）の操作に基づく回転操作信号とを、筐体（２）の前面下部に配設した駆動制御ユニット内の制御手段（30）に出力する。
【００３２】
図５は、ヒートポンプ式洗濯乾燥機（１）の制御ブロックであり、制御手段（30）はマイコンを含む検知回路で構成され、マイコンはあらかじめ記憶されている情報を基に検知をおこない、それに応じた運転制御を実行している。
【００３３】
そして、ＡＣ電源（43）からの電力を、ＤＣ電源回路（44）により整流し平滑したＤＣ電源を電力として制御手段（30）に供給するとともに、電源スイッチ（35）のオンにより電源リレーを付勢して運転をスタートさせ、それと同時に出力が必要となる給水源からの給水弁（45）や排水弁（７）、モーター（10）、ヒートポンプ（12）、乾燥用送風機（17）、ルーバー（21）などに電力を供給し、制御手段（30）の指示にしたがって駆動をおこなう。
【００３４】
また、回転センサー（46）によってモーター（10）の回転数を制御手段（30）に入力し、水槽（６）内の貯留水位を検知するための水位センサー（47）からの水位検知信号や、前記蒸発器（16）と凝縮器（13）間の風路壁に穿設した吸気口（29）近傍の外部に設けた温度センサー（48）で洗濯乾燥機（１）の周辺雰囲気の温度を検知し、制御手段（30）に入力することで、各運転行程に合わせた制御をおこない、さらに、ドアスイッチ（49）により洗濯乾燥機（１）のドア状態を検出してドアロックの開閉制御をおこなう。
【００３５】
さらに、前記操作パネル（３）における各操作キー（32）〜（36）および操作ダイヤル（37）のスイッチと表示部（38）により、使用者の操作および運転状態に応じて表示をおこない、ブザー（50）で、使用者の操作時や運転動作終了時、異常時などの制御手段（30）の指示に応じて表示をおこなう。
【００３６】
なお、前記各操作キー（32）〜（37）で設定された仕様は不揮発性メモリ（51）で記憶され、次の電源オン時に記憶された風量や運転時間、設定温度を液晶表示パネル（38）に表示することからスタートする。
【００３７】
しかして、前記操作パネル（３）における洗濯モードキー（32）の下部には、送風キー（41）を同様に設ける。この送風キー（41）は、前述のように、ヒートポンプにより除湿した空気を機外に吹き出して空調運転をおこなわせるものであり、電源のオン中に送風キー（41）を押して送風の設定をしたときは、洗濯や乾燥など洗濯機の運転が停止中であれば送風運転を可能にしており、前記スタート・一時停止キー（36）外周の操作ダイヤル（37）を回動することで、送風する空気が冷風か温風かを液晶表示パネル（38）に表示させて選択し、同時に送風表示部（41ａ）を青色のＬＥＤで点灯表示するようにする。
【００３８】
設定によって空調運転モード、例えば、冷風吹き出しを選択してスタートキー（36）を押圧すると、ヒートポンプ（12）が運転を開始し、所定時間遅延して切替ダンパー（24）がドラム出口ダクト（19）を閉塞するとともに送風口（23）を開口し、さらに送風ファン（22）を回転させることで、低温となった蒸発器（16）からの冷気をルーバー（21）によって送風口（23）から外方に放出するものである。
【００３９】
このとき、操作パネル（３）の前記送風キー（41）の近傍にはスイングキー（42）を設け、これを押すことでルーバー（21）の傾斜角度を制御する。例えば、スイングキー（42）を押し続けることで、ステッピングモーターを駆動してルーバー（21）を回動させ、所望の傾斜角度で停止させて吹き出し方向を固定し、また、２度押した場合は、回動範囲に亙って揺動させるようにする。これにより、送風冷気の上下方向を空調運転中に亙って５秒程度の周期で変更させたり、所定角度の傾斜方向で固定することによって、使用者の所望に応じて快適な送風効果を得ることができる。
【００４０】
そして、この送風運転は、前記洗濯運転、あるいは洗濯乾燥運転、または乾燥運転をおこなっている間は、送風キー（41）を押圧されても運転の実行を受け付けないように設定されており、洗濯や乾燥運転中に送風キー（41）が押圧された際には、例えば、図６に示すように、送風キー表示部（41ａ）の青色ＬＥＤは点灯させないとともに、送風設定が不可であることを液晶表示パネルの表示部（40）に表示し、ルーバー（21）は閉じたまま待機するようにしている。
【００４１】
送風機能の動作を図７に示すフローチャートに沿って説明する。電源キー（35）の押圧で電源がオンされ、送風キー（41）の押圧によって送風行程の設定（ステップＳ１）がなされ、さらにスタートキー（36）が押圧（ステップＳ２）されて送風設定を確認したとき（ステップＳ３）は、まずヒートポンプ（12）が駆動される。ヒートポンプ（12）の駆動開始後、所定時間遅延して切替ダンパー（24）が回動してドラム出口ダクト（19）を閉塞するとともにルーバー制御に基づき設定風量に対応した量だけルーバー（21）を回動させ、次いで送風ファン（22）を駆動することで冷却された蒸発器（16）からの冷気を送風口（23）から機外に吹き出す送風運転を実行する（ステップＳ４）。送風運転は設定された時間継続する（ステップＳ５）。
【００４２】
前記フローにおいて、ステップＳ３で送風の設定がなされていない場合は送風運転されることはなく、また、ステップＳ４で送風運転されていても洗濯あるいは乾燥運転をおこなうべく、洗濯乾燥モードキー（32）が押圧されたときには、送風設定は解除されて洗濯〜乾燥モードに切り替わり、洗濯や乾燥運転が実行されることになる。また、同じく送風運転の実行中に、電源キー（35）が押圧され電源が切られた場合は、ルーバー（21）を回動して送風口（23）閉じるとともに送風運転を終了する。
【００４３】
さらに、洗濯〜乾燥運転が実施されているとき（ステップＳ６）に送風キー（41）が押圧された場合（ステップＳ７）には、送風設定は受け付けられず、送風キー（41）部分の青色ＬＥＤ（41ａ）は点灯されないとともに、液晶表示パネルの表示部（40）に「送風設定できません」との文字を５秒間に亙って点滅表示（ステップＳ８）することで、洗濯乾燥運転中における「送風」の受付ができないことを使用者に報知するものである。
【００４４】
なお、前記「送風」設定不可の使用者への報知については、前記表示のみに限らず、ピッピッと鳴るアラームを併用したり音声で報知するようにしてもよい。そして、洗濯や乾燥運転が終了し（ステップＳ９）、また、前記送風運転の設定終了時間に到達した場合にはその運転を終了する（ステップＳ10）ものである。
【００４５】
続いて、洗濯乾燥運転の予約待機中の送風運転につき、図８に示すフローチャートに沿って説明する。電源キー（35）の押圧で電源をオンし、洗濯運転モードキー（32）によって行程選択（ステップＳ11）をおこない、予約キー（34）の押圧と操作ダイヤル（37）によって、時計表示に切り替えた液晶表示パネル（38）で運転開始時刻など予約時刻を設定する（ステップＳ12）。このとき、数値表示部に表示される時刻は、過去に予約設定しなかった場合は現在の時刻が表示されるが、過去に予約設定している場合は、その際の時刻が優先表示される。
【００４６】
スタートキー（36）を押圧（ステップＳ13）することにより、予約した行程中に「洗い行程」（ステップＳ14）があれば、前記回転センサー（46）によるドラム（９）の回転数で洗濯物の重量を検知し（ステップＳ15）、必要な洗剤量を表示部（40）に表示（ステップＳ16）して予約待機する（ステップＳ17）。なお、前記「洗い行程」がない場合は、そのまま予約待機するものである。
【００４７】
そして、設定した予約時刻になって待機状態が終了した場合（ステップＳ18）には、設定した行程に沿った運転が開始される（ステップＳ19）ものであり、行程が終了すれば洗濯〜乾燥運転を終了する（ステップＳ20）。
【００４８】
しかして、本実施例では、予約機能によって洗濯〜乾燥運転の開始時刻に至らない予約待機中に送風キー（41）を押圧した場合（ステップＳ21）には、前記「送風」設定を受け付けることができるように制御されており、前述の送風運転が開始される（ステップＳ22）。前記予約待機時間中に送風運転が終了した場合（ステップＳ23）は、送風を停止して（ステップＳ24）そのまま待機状態に戻るが、送風運転が継続している段階で待機が終了した場合（ステップＳ25）は、送風運転を中断して（ステップＳ26）予約設定された洗濯〜乾燥運転に移行するものであり、待機中であればさらに送風運転を継続する。
【００４９】
本発明は以上のように構成されており、筐体外部への送風機能を具備した洗濯乾燥機（１）において、送風機能の動作中であっても洗濯〜乾燥モードの設定がなされたときには、洗濯〜乾燥運転を優先して送風機能を解除し停止させるよう制御するとともに、送風機能と関連するヒートポンプの動作時、すなわち乾燥運転時のみでなく、洗濯乾燥機（１）としての洗濯〜乾燥モードの運転中には、送風キー（41）を押圧してもこれを受け付けないようにしたので、洗濯および洗濯乾燥あるいは乾燥モードの運転中に送風機能が実行されることはなく、濡れた状態の蒸発器（16）の水分が急な送風運転により機外に放出されるなどの不具合を防ぐとともに、洗濯〜乾燥モードの中で種々の送風可否パターンが存在するというユーザーの使用上の混乱や煩雑さを避け、わかりやすく使い勝手のよい送風機能を提供することができる。
【００５０】
また、上記により送風機能を受け付けない場合は、その旨を表示パネル（38）に表示するようにすれば、よりわかりやすくすることができるものであり、さらに、洗濯〜乾燥運転について予約待機中の場合には、事実上運転していないことから送風機能を受け付けても不具合はなく、ユーザーの欲求にも対応させることができる。
【００５１】
なお、送風機能の設定に関しては、前記実施例に記載した送風キー（41）を設けない構成とし、前記実施例と同一符号を附した図９に示すように、液晶表示パネル（38）におけるコース表示部（39）に「送風」表示を設けるようにして、操作ダイヤル（37）の回転により「送風」を点灯表示して選択するようにしてもよい。
【００５２】
さらに、操作パネル（３）の一部分である前記同様の図10に示すように、前記各実施例における洗濯運転モードキー（32）の部分に、洗濯〜乾燥切替キー（32′）とコース選択キー（32″）を設置し、これら切替キー（32′）とコースキー（32″）との組み合わせ押圧によって送風設定をおこなうようにしてもよく、また、同様の図11に示すように、前記洗濯〜乾燥切替キー（32′）とコース選択キー（32″）による洗濯モードの設定に加えて送風設定をおこなう送風キー（41′）を設けるようにしてもよい。そしてまた、図12に示すように、モード設定をおこなうキーは、洗濯〜乾燥モードを選択する洗濯運転モードキー（32）としては前記図４記載の実施例における「洗濯」「洗乾」「乾燥」の各キーを設け、これらの中のひとつのコースとして「送風」を設けるようにしてもよい。
【００５３】
また、上記においては、低温空気を外部に吹き出す、いわゆる冷房機能構成についてのみ説明したが、ルーバー（21）からの放出空気は冷気のみに限らず、暖気放出により暖房作用をおこなうようにしてもよい。
【００５４】
その場合には、操作パネル（３）の表示や操作仕様として暖房機能キーなどを加えるとともに、ヒートポンプ（12）における絞り装置（15）を４方弁にして、冷媒が蒸発器（16）から凝縮器（13）に向かって流れる流路を設け、弁により冷媒流路を切り替えることで前記圧縮機（14）からの高温冷媒をまず蒸発器（16）に導入し、凝縮作用をおこなわせることによってこれを高温側熱交換器とすればよく、蒸発器（16）で加熱された暖気をルーバー（21）から外部、例えば、前部水平方向に向けて吹き出すことで冬期における足もと暖房として使用することができる。
【００５５】
そして、任意、あるいはタイマー制御など所定のタイミングで空調機能運転を終了した場合には、ヒートポンプ（12）および送風ファン（22）の運転を停止するとともに、ルーバー（21）の角度、および切替ダンパー（24）を図２中の２点鎖線のように、元に戻して送風口（23）を閉塞し、開口や前面への突出がないようにすることで、良好な外観を保持し、異物や埃の内部への侵入を阻止することができる。
【図面の簡単な説明】
【００５６】
【図１】本発明の１実施形態を示すドラム式洗濯乾燥機の概略斜視図である。
【図２】図１の概略縦断面図である。
【図３】図２の要部である外部への送風口部を示す拡大縦断面図である。
【図４】図１における操作パネル部の拡大詳細図である。
【図５】図１の洗濯乾燥機の制御構成を示すブロック図である。
【図６】本発明１実施例の送風運転の受付拒否状態を説明する操作パネル図である。
【図７】本発明１実施例の送風と洗濯乾燥運転との関係を示すフローチャートである。
【図８】図７における洗濯予約待機時の送風制御を示すフローチャートである。
【図９】送風設定をおこなうための本発明の他の実施例を示す操作パネル図である。
【図１０】送風設定のさらに他の実施例を示す操作パネルの部分図である。
【図１１】図10の変形例である。
【図１２】図10のさらに他の変形例である。
【図１３】従来のドラム式洗濯乾燥機構成を示す縦断面図である。
【図１４】他の従来構成を示す衣類乾燥装置の縦断面図である。
【符号の説明】
【００５７】
１  洗濯乾燥機
３  操作パネル
６  水槽
９  ドラム
12  ヒートポンプ
13  凝縮器
16  蒸発器
17  乾燥用送風機
18  ドラム入口ダクト
19  ドラム出口ダクト
21  ルーバー
22  送風ファン
23  送風口
30  制御手段
32、33、34、35、36  操作キー
37  操作ダイヤル
38、39、40  表示部
41  送風キー
【図１】
2007301283.tif 000003
【図２】
2007301283.tif 000004
【図３】
2007301283.tif 000005
【図４】
2007301283.tif 000006
【図５】
2007301283.tif 000007
【図６】
2007301283.tif 000008
【図７】
2007301283.tif 000009
【図８】
2007301283.tif 000010
【図９】
2007301283.tif 000011
【図１０】
2007301283.tif 000012
【図１１】
2007301283.tif 000013
【図１２】
2007301283.tif 000014
【図１３】
2007301283.tif 000015
【図１４】
2007301283.tif 000016